(57)【特許請求の範囲】
【請求項１】
差分符号化された複数チャンネルのデジタル放送を受信するデジタル放送受信装置であって、
放送された複数のチャンネルから少なくとも１つのチャンネルを取り出し、その信号から得られるデータを取得する複数の取り込み部と、
いずれかの前記取り込み部で取得したデータを再生出力し、少なくとも再生出力している以外のチャンネルのデータを所定時間分だけ一時蓄積しており、再生出力している旧チャンネルから他の新チャンネルへの切り替えの要求があると、前記旧チャンネルのデータの再生出力を停止した後、一時蓄積してある前記新チャンネルのデータを用いて、該新チャンネルのデータを過去の最も新しい再生開始が可能な部分から出力し始める切り替え部と、
チャンネル切り替え時に前記切り替え部が前記新チャンネルを過去のデータから再生出力し始めたことにより発生した遅延が解消されるまで、再生用のクロックを発生させるＰＬＬ回路のフィードバックにバイアスを加えることにより、前記新チャンネルの再生出力の速度を速める速度調整部と、を有するデジタル放送受信装置。
【請求項２】
差分符号化された複数チャンネルのデジタル放送を受信し、利用者の所望のチャンネルを再生するためのデジタル放送再生方法であって、
放送された複数のチャンネルの信号から得られる複数のデータを取得するステップと、
取得したいずれかのデータを再生するとともに、少なくとも再生している以外のチャンネルのデータを所定時間分だけ一時蓄積するステップと、
再生している旧チャンネルから他の新チャンネルへの切り替えの要求があると、前記旧チャンネルのデータの出力を停止するステップと、
一時蓄積してある前記新チャンネルのデータを用いて、該新チャンネルのデータを過去の最も新しい再生開始が可能な部分から出力し始めるステップと、
チャンネル切り替え時に前記新チャンネルを過去のデータから再生出力し始めたことにより発生した遅延が解消されるまで、再生用のクロックを発生させるＰＬＬ回路のフィードバックにバイアスを加えることにより、前記新チャンネルの再生の速度を速めるステップと、を有するデジタル放送再生方法。
【発明の詳細な説明】
【技術分野】
【０００１】
本発明は、複数チャンネルのデジタル放送を受信する装置に関する。
【背景技術】
【０００２】
デジタル放送では、連続する画像間の差分を抽出し、その差分を送ることにより映像のデータを圧縮する差分符号化方式が採用されている。差分符号化方式の例としてＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）がある。
【０００３】
差分符号化方式では、ある時点で、基本となる、そのデータだけで再生が可能な独立した画像（以下「基本画像」という）が送られ、それ以降は、隣接する画像との差分だけが送られる。基本画像は間隔を開けて挿入されている。したがって、差分符号化された映像は、基本画像からでなければ再生を開始することができない。
【０００４】
デジタル放送において、ＭＰＥＧ２のデータは、ＴＳ（Ｔｒａｎｓｐｏｒｔ  Ｓｔｒｅａｍ）パケット列として放送される。デジタル放送のＴＳパケット列には、０．５ｓｅｃ間隔でシーケンスヘッダが含まれている。このシーケンスヘッダは、上述した基本画像の位置を示しており、そこから映像の再生が可能であることを意味する。
【０００５】
したがって、利用者がデジタル放送受信装置のチャンネルを切り替えたとき、このシーケンスヘッダの位置を検出するために最大で０．５ｓｅｃを要することとなる。また、デジタル放送では、アナログ放送と異なり、チューナに付随してＡ／Ｄ（アナログ／デジタル）変換、エラー訂正、デインターリーブ、リードソロモンなどの処理が必要とされる。
【０００６】
そのため一般のデジタル放送受信装置では、利用者がチャンネル切り替えの操作をしてから新たなチャンネルの再生が可能になるまで、映像を固定もしくは単色表示等のミュート処理を行い、音声を停止していた。このミュート時間として一般に１ｓｅｃ程度はかかっており、この時間が利用者のストレスとなっていた。
【０００７】
これに対して、複数のチューナ部を備え、複数のチャンネルの各々について各チューナ部でチューニングおよび付随する処理を行い、それらの出力から１つを選択する構成が提案されている（特許文献１参照）。これによれば、チャンネル切り替え時に、新たにチューニングおよび付随する処理を行う必要が無く、切り替えに要する時間を短縮することが可能である。
【特許文献１】特開２００４−３１２５０４号公報
【発明の開示】
【発明が解決しようとする課題】
【０００８】
しかしながら、特許文献１に開示された構成は、各チューナ部から出力されたＴＳの１つを選択して出力する構成なので、チャンネル切り替え時に、上述したように０．５ｓｅｃ間隔で挿入されたシーケンスヘッダを検出し、そこから再生を開始する必要があった。したがって、利用者は最大で０．５ｓｅｃの時間は待たされることとなり、十分な操作性が確保されているとは言えなかった。
【０００９】
なお、シーケンスヘッダを検出し映像を再生する再生部を複数備え、複数の再生部から出力される映像信号を選択する構成とすれば、切り替え時間をさらに短縮することができる。しかしながら、そのような構成によればハードウェア量が増大し、コストアップにつながるため好ましいものではない。
【００１０】
本発明の目的は、チャンネル切り替え時間を短縮したデジタル放送受信装置を提供することである。
【課題を解決するための手段】
【００１１】
本発明の一態様のデジタル放送受信装置は、
差分符号化された複数チャンネルのデジタル放送を受信するデジタル放送受信装置であって、
放送された複数のチャンネルから少なくとも１つのチャンネルを取り出し、その信号から得られるデータを取得する複数の取り込み部と、
いずれかの前記取り込み部で取得したデータを再生出力し、少なくとも再生出力している以外のチャンネルのデータを所定時間分だけ一時蓄積しており、再生出力している旧チャンネルから他の新チャンネルへの切り替えの要求があると、前記旧チャンネルのデータの再生出力を停止した後、一時蓄積してある前記新チャンネルのデータを用いて、該新チャンネルのデータを過去の最も新しい再生開始が可能な部分から出力し始める切り替え部と、
チャンネル切り替え時に前記切り替え部が前記新チャンネルを過去のデータから再生出力し始めたことにより発生した遅延が解消されるまで、再生用のクロックを発生させるＰＬＬ回路のフィードバックにバイアスを加えることにより、前記新チャンネルの再生出力の速度を速める速度調整部と、を有するものである。
【発明の効果】
【００１８】
本発明によれば、従来のようなチャンネル切り替えの指示があってから新チャンネルの再生開始可能な部分を検出するまでの時間が不要となり、短時間でチャンネルを切り替えることができる。
【発明を実施するための最良の形態】
【００１９】
本発明を実施するための形態について図面を参照して詳細に説明する。
【００２０】
（第１の実施形態）
図１は、第１の実施形態によるデジタル放送受信装置の構成を示すブロック図である。図１を参照すると、デジタル放送受信装置１０は、複数のデジタル放送取り込み部１１，１２、データ蓄積部１３、および映像再生部１４を有している。デジタル放送受信装置１０は複数のチャンネルを同時に取り込むことができるように、複数（ここでは２つ）のデジタル放送取り込み部１１，１２を有する。
【００２１】
デジタル放送取り込み部１１，１２は、複数チャンネルを含むデジタル放送から少なくとも１つのチャンネルの信号を取り出し、その信号から得られるデータをデータ蓄積部１３に送る。このデータに含まれる映像データは、差分符号化された映像のデータであり、基本画像を含む複数の画像を１つの単位とし、その単位毎にシーケンスヘッダが付加されている。この差分符号化された映像データは、基本画像からでなければ再生を開始することができない。
【００２２】
具体例として、デジタル放送取り込み部１１，１２は、選局、Ａ／Ｄ変換、エラー訂正、デインターリーブなどの処理を行い、得られたＭＰＥＧ２のＴＳパケット列をデータ蓄積部１３に送る。ＴＳパケット列で送られるデータには、基本画像の位置を示すシーケンスヘッダが含まれている。
【００２３】
データ蓄積部１３は、複数のデジタル放送取り込み部１１，１２からの複数のデータを蓄積すると共に、その中から利用者が視聴することを選択した１つのチャンネルの映像データを映像再生部１４に送る。
【００２４】
図２は、チャンネル切り替え時におけるＴＳパケット列の切り替えの様子を示す図である。利用者からチャンネルの切り替えを指示されると、データ蓄積部１３は、映像再生部１４に送るデータを、旧チャンネルのデータ（ＴＳパケット列）から新チャンネルのデータ（ＴＳパケット列）に切り替える。図２には、４チャンネル（４ｃｈ）から６チャンネル（６ｃｈ）に切り替える例が示されている。この場合、４ｃｈが旧チャンネルであり、６ｃｈが新チャンネルである。
【００２５】
チャンネル切り替えの際、データ蓄積部１３は、旧チャンネル（４ｃｈ）のＴＳパケット列を停止し、その後に、新チャンネル（６ｃｈ）のＴＳパケット列を過去の最も新しいシーケンスヘッダの部分から、接続する。これにより、新チャンネルのＴＳパケット列の先頭から再生の開始が可能となる。
【００２６】
映像再生部１４は、データ蓄積部１３から送られてきた映像データを再生する。具体的には、映像再生部１４は、データ蓄積部１４からのＴＳパケット列をＭＰＥＧ２デコードし、Ｄ／Ａ（デジタル／アナログ）変換して映像を再生する。チャンネル切り替え時には、データ蓄積部１３から、旧チャンネルのデータの後に新チャンネルのデータが再生開始可能な部分から接続されて送られてくるので、短時間で切り替えることができ、ミュートの必要がない。
【００２７】
次にチャンネル切り替え時のデータ蓄積部１３の動作について説明する。図３は、第１の実施形態におけるチャンネル切り替え時の動作を示すフローチャートである。
【００２８】
図３を参照すると、データ蓄積部１３は、利用者の選択したチャンネルのデータを映像再生部１４に送りながら、利用者からのチャンネル切り替えの指示を監視する（ステップ１０１）。切り替え指示があると、新チャンネルのデータの過去の最も新しいシーケンスヘッダの部分に戻る（ステップ１０２）。
【００２９】
そして、データ切替部１３は、旧チャンネルのデータの送出を停止し、その後に新チャンネルのデータをシーケンスヘッダの部分から接続して送出し始める（ステップ１０３）。新チャンネルのデータの送出を開始すると、データ蓄積部１３は、ステップ１０１に戻って利用者からのチャンネル切り替えの指示を監視する。
【００３０】
以上説明したように、本実施形態によれば、複数のデジタル放送取り込み部１１，１２が複数のチャンネルのデータを取り込んでデータ蓄積部１３に送り、データ蓄積部１３が、チャンネル切り替え時に、旧チャンネルのデータの後に新チャンネルのデータを再生開始可能な過去の部分から接続して映像再生部１４に送り、映像再生部１４がデータ蓄積部１３からのデータを再生する。そのため、従来のようなチャンネル切り替えの指示があってから新チャンネルの再生開始可能な部分を検出するまでのミュートが不要となり、短時間でチャンネル切り替えを行なうことができる。
【００３１】
なお、本実施形態ではＭＰＥＧ２規格を採用するデジタル放送に本発明を適用した例を示したが、本発明の適用範囲はこれに限定されるものではなく、差分符号化された複数チャンネルが放送されるシステムに広く適用可能である。また、このことは以下に示す各実施形態にも当てはまる。他のデータ圧縮方式の例としてはＭＰＥＧ４やＩＴＵ−Ｔ  Ｈ．２６４などがある。
【００３２】
（第２の実施形態）
第１の実施形態では、チャンネル切り替え時には必ず新チャンネルの過去のシーケンスヘッダに遡って旧チャンネルに接続することとしていた。第２の実施形態は、切り替え指示と、過去の最も新しいシーケンスヘッダとのタイミング関係により、過去のシーケンスヘッダに遡るか、次のシーケンスヘッダを待つかを選択する点で第１の実施形態と異なる。
【００３３】
第２の実施形態のデジタル放送受信装置の構成は、図１に示した第１の実施形態と同様である。第２の実施形態では、データ蓄積部の動作が第１の実施形態と異なっている。
【００３４】
図４，５は、データ蓄積部のチャンネル切り替え時の動作を説明するための図である。デジタル放送においてシーケンスヘッダは０．５ｓｅｃ間隔で挿入されている。そこで、本実施形態のデータ蓄積部１３は、切り替え指示の前０．２５ｓｅｃ以内に新チャンネルの過去の最も新しいシーケンスヘッダがあれば、そのシーケンスヘッダから映像再生部１４に送り始め、切り替え指示の前０．２５ｓｅｃ以内に新チャンネルの過去の最も新しいシーケンスヘッダがなければ、次に現れるシーケンスヘッダまで待って、そこから映像再生部１４に送り始める。
【００３５】
図４を参照すると、チャンネル切り替えの指示の前０．２５ｓｅｃ以内に、新チャンネル（６ｃｈ）の過去の最も新しいシーケンスヘッダがあるので、そこから映像再生部１４に送り始めている。
【００３６】
一方、図５を参照すると、チャンネル切り替えの指示の前０．２５ｓｅｃ以内に、新チャンネル（６ｃｈ）の過去の最も新しいシーケンスヘッダがないので、次に現れるシーケンスヘッダから映像再生部１４に送り始めている。上述したように、シーケンスヘッダは０．５ｓｅｃ間隔で現れるので、チャンネル切り替えの指示の前０．２５ｓｅｃ以内に過去の最も新しいシーケンスヘッダがなければ、切り替え指示後０．２５ｓｅｃ以内に次のシーケンスヘッダが現れるはずである。
【００３７】
図６は、第２の実施形態におけるチャンネル切り替え時の動作を示すフローチャートである。本実施形態のデータ蓄積部１３は、０．２５ｓｅｃをカウントするタイマを制御し、そのタイマ値を利用する。再生中のチャンネル以外に複数のチャンネルがあり、各々のデータがデータ蓄積部１３に送られていれば、チャンネル毎に複数のタイマが用意される。
【００３８】
図６を参照すると、初期の状態で、データ蓄積部１３は、利用者に選択されたチャンネルを映像再生部１４に送りながら、他のチャンネルのシーケンスヘッダを監視する（ステップ２０１）。シーケンスヘッダを最初に検出するまでは、データ蓄積部１３はタイマをリセットした状態に維持する（ステップ２０２）。そして、シーケンスヘッダを最初に検出すると、データ蓄積部１３は、タイマのカウントをスタートさせる（ステップ２０３）。
【００３９】
その後、データ蓄積部１３は、新たなシーケンスヘッダを検出したか否か判定する（ステップ２０４）。シーケンスヘッダを検出すれば、データ蓄積部１３は、タイマをリセットして再びカウントをスタートさせ（ステップ２０５）、ステップ２０４に戻る。
【００４０】
一方、新たなシーケンスヘッダを検出していなければ、データ蓄積部１３は、次に、利用者からのチャンネル切り替えの指示があったか否か判定する（ステップ２０６）。切り替え指示がなければ、データ蓄積部１３はステップ２０４に戻る。
【００４１】
一方、切り替え指示があれば、データ蓄積部１３は、新チャンネルについてのタイマを参照し、前回のリセットから０．２５ｓｅｃ以内であるか否か判定する（ステップ２０７）。リセットから０．２５ｓｅｃ以内でなければ、データ蓄積部１３は、次のシーケンスヘッダを待って（ステップ２０８）、それを選択する。リセットから０．２５ｓｅｃ以内であれば、データ蓄積部１３は、前回のシーケンスヘッダを選択する（ステップ２０９）。
【００４２】
ステップ２０８またはステップ２０９の処理の後、データ蓄積部１３は、旧チャンネルのデータの送出を停止し、その後に新チャンネルのデータを、選択したシーケンスヘッダの部分から接続して送出し始める（ステップ２１０）。新チャンネルのデータの送出を開始すると、データ蓄積部１３は、ステップ２０４に戻る。
【００４３】
第１の実施形態では、新チャンネルの再生時刻が最大で０．５ｓｅｃだけ遅れることとなるが、第２の実施形態では、この遅れが０．２５ｓｅｃに抑えられる。一方、第２の実施形態では、チャンネル切り替え時間が最大で０．２５ｓｅｃだけ長くなるが、この程度であれば利用者の操作性は損なわれず、ストレスとならない。
【００４４】
（第３の実施形態）
第１の実施形態では最大で０．５ｓｅｃ、第２の実施形態では最大で０．２５ｓｅｃだけ、新チャンネルの再生時刻が基準よりも遅れることとなる。新チャンネルの遅延は、旧チャンネルにて生じていた遅延とは無関係に発生し、切り替え毎に累積されるものではないので、０．５ｓｅｃあるいは０．２５ｓｅｃより大きくなることはなく、放置しても実質的な影響はない。しかし、本来再生すべき時刻から遅れて再生していることになるので、この遅延を解消した方が好ましいといえる。第３の実施形態のデジタル放送受信装置は、この再生時刻の遅延を解消する機能を備えている。
【００４５】
図７は、第３の実施形態によるデジタル放送受信装置の構成を示すブロック図である。図７を参照すると、デジタル放送受信装置２０は、複数のデジタル放送取り込み部１１，１２、データ蓄積部１３、映像再生部１４、および速度調整部２１を有している。第３の実施形態のデジタル放送取り込み部１１，１２、データ蓄積部１３、および映像再生部１４は、図１に示した第１の実施形態と同様のものである。
【００４６】
速度調整部２１は、データ蓄積部１３によるチャンネル切り替えの処理で発生した最大で０．５ｓｅｃの遅延を、映像再生部１４の再生速度を速めることで解消する。なお、チャネル切り替えで発生した遅延量は、新チャンネルをどれだけの時間遡って出力し始めたかで求めることができる。
【００４７】
図８は、第３の実施形態における速度調整部の構成を示すブロック図である。図８を参照すると、速度調整部２１は、入力速度格納部３１、減算器３２、Ｄ／Ａ変換部３３、ＶＣｘＯ３４、分周部３５、再生速度カウンタ３６、および遅延制御部３７を有している。
【００４８】
入力速度格納部３１は、入力ＴＳのＰＣＲ（Ｐｒｏｇｒａｍ  Ｃｌｏｃｋ  Ｒｅｆｅｒｅｎｃｅ）情報を格納する。
【００４９】
減算器３２は、入力速度格納部３１の出力と再生速度カウンタ３６の出力の差分を求める。
【００５０】
Ｄ／Ａ変換部３３は、減算器３２で得られた差分値をデジタル／アナログ変換し、電圧信号を出力する。
【００５１】
ＶＣｘＯ３４は、Ｄ／Ａ変換部３３からの電圧信号の電圧レベルに基づいて周波数を変化させる発振器であり、その出力が映像再生部１４にて映像の再生に用いられるクロックとなる。このクロックによって映像再生部１４での映像を再生する速度が決まる。
【００５２】
分周部３５は、ＶＣｘＯ３４からのクロックを分周する。分周部３５の分周比は３００である。
【００５３】
再生速度カウンタ３６は、分周部３５による分周で得られたＳＴＣ（Ｓｙｓｔｅｍ  Ｔｉｍｅ  Ｃｌｏｃｋ）に基づき、再生速度をカウントする。ただし、再生速度カウンタ３６のカウンタ値には遅延制御部３７からのバイアス値が加算される。
【００５４】
遅延制御部３７は、データ蓄積部１３にてチャンネル切り替えによる遅延が発生すると、映像再生部１４の再生速度を速めて遅延を解消するためのバイアス値を遅延制御部３７に与える。バイアス値は、ＶＣｘＯ３４における周波数制御幅の範囲内の値であり、再生速度をその範囲内で速めた状態を必要な時間だけ維持することで遅延を解消する。
【００５５】
上述の説明から分かるように、入力速度格納部３１、減算器３２、Ｄ／Ａ変換部３３、ＶＣｘＯ３４、分周部３５、および再生速度カウンタ３６で、再生用のクロックを生成するＰＬＬ回路が構成されており、遅延制御部３７がそのＰＬＬ回路のフィードバックにバイアスを加えることで再生速度を速めている。
【００５６】
システムクロックおよびＶＣｘＯ３４の発振周波数が２７ＭＨｚであるとする。また、ＶＣｘＯ３４の周波数の制御幅がＭＰＥＧの規格準拠であるとすると、周波数の制御は２７ＭＨｚ±８１０Ｈｚの範囲に限られる。この場合、１ｓｅｃ間に最大で８１０クロック分の遅延の解消が可能である。例えば、最大値である０．５ｓｅｃの遅延が発生したとすると、これは４５００００クロック分に相当するので、５５６ｓｅｃ程度の時間で解消されることとなる。
【００５７】
図９は、第３の実施形態における遅延制御部の動作を示すフローチャートである。この例では、遅延制御部３７は、遅延時間にパラメータＤを用いて処理を行なうこととする。図９を参照すると、遅延時間Ｄがクリアされた初期状態（ステップ３０１）から、チャンネル切り替えが発生したか否か判定する（ステップ３０１）。
【００５８】
チャンネル切り替えが発生した場合、遅延制御部３７は、発生した遅延時間（発生遅延）Ｘを遅延時間Ｄに設定する（ステップ３０３）。
【００５９】
ステップ３０２にてチャンネル切り替えが発生していないか、ステップ３０３の処理の後、遅延制御部３７は、遅延時間Ｄ＝０か否か判定する（ステップ３０４）。Ｄ＝０でなければ、遅延制御部３７は、再生速度カウンタ３６のカウント値に所定のバイアス値を加算し（ステップ３０５）、遅延時間Ｄからバイアス値を減算する（ステップ３０６）。
【００６０】
ステップ３０４にてＤ＝０であったとき、またはステップ３０６の処理の後、ＶＣｘＯ３４を制御し（ステップ３０７）、ステップ３０２に戻る。
【００６１】
以上説明したように、本実施形態によれば、データ蓄積部１３にてチャンネル切り替えに伴う遅延が発生すると、速度調整部２１が、遅延が解消されるまで映像再生部１４の再生速度を速めるので、チャネル切り替え時間の短縮により発生した遅延を最終的には解消することができる。
【００６２】
（第４の実施形態）
第１〜３の実施形態では、複数チャンネルを同時に録画可能なデジタル放送受信装置を想定し、複数チャンネルのデータが集約されるデータ蓄積部にて、チャンネル切り替えの処理を行っていた。しかし、本発明はこの構成に限定されるものではない。他の構成として、第４の実施形態は、チャンネル切り替えの処理を映像再生部に持たせた点で第１の実施形態と異なる。
【００６３】
なお、ここでは、一例として、第１の実施形態と同様に、チャネル切り替えの指示があったとき、新チャンネルにおける過去の最新のシーケンスヘッダに遡って再生を行なうこととする。ただし、第２の実施形態と同様に、過去に遡るか、次のシーケンスヘッダを待つかを選択することとしてもよい。
【００６４】
図１０は、第４の実施形態によるデジタル放送受信装置の構成を示すブロック図である。図１０を参照すると、デジタル放送受信装置４０は、複数のデジタル放送取り込み部１１，１２、データ蓄積部４１、および映像再生部４２を有している。
【００６５】
デジタル放送取り込み部１１，１２は図１に示した第１の実施形態のものと同様であるが、データ蓄積部４１と映像再生部４２の両方にデータを送る点で異なっている。
【００６６】
データ蓄積部４１は、複数のデジタル放送取り込み部１１，１２からの複数のデータを蓄積する機能のみを有し、チャンネル切り替えに関与しない。
【００６７】
映像再生部４２は、複数のデジタル放送取り込み部１１，１２からの複数のデータを受信し、利用者に選択されたチャンネルのデータを再生すると共に、他のチャンネルのデータを０．５ｓｅｃ分だけ一時的に蓄積する。デジタル放送では、シーケンスヘッダは０．５ｓｅｃ毎に挿入されているので、一時蓄積された０．５ｓｅｃ分のデータの中には必ず過去の最も新しいシーケンスヘッダが存在する。
【００６８】
そして、利用者からチャンネル切り替えの指示があると、旧チャンネルの再生を停止し、新チャンネルの過去の最も新しいシーケンスヘッダで区切られた部分から新チャンネルの再生を開始する。
【００６９】
なお、ここでは、必ず過去の最新のシーケンスヘッダに遡って新チャンネルの再生を開始する例を示しているので、０．５ｓｅｃ分のデータを蓄積している。しかし、第２の実施形態と同様に遡るか次のシーケンスヘッダを待つか選択する構成とした場合には０．２５ｓｅｃ分のデータを一時蓄積すればよい。
【図面の簡単な説明】
【００７０】
【図１】第１の実施形態によるデジタル放送受信装置の構成を示すブロック図である。
【図２】チャンネル切り替え時におけるＴＳパケット列の切り替えの様子を示す図である。
【図３】第１の実施形態におけるチャンネル切り替え時の動作を示すフローチャートである。
【図４】データ蓄積部のチャンネル切り替え時の動作を説明するための図である。
【図５】データ蓄積部のチャンネル切り替え時の動作を説明するための図である。
【図６】第２の実施形態におけるチャンネル切り替え時の動作を示すフローチャートである。
【図７】第３の実施形態によるデジタル放送受信装置の構成を示すブロック図である。
【図８】第３の実施形態における速度調整部の構成を示すブロック図である。
【図９】第３の実施形態における遅延制御部の動作を示すフローチャートである。
【図１０】第４の実施形態によるデジタル放送受信装置の構成を示すブロック図である。
【符号の説明】
【００７１】
１０，２０，４０    デジタル放送受信装置
１１，１２    デジタル放送取り込み部
１３，４１    データ蓄積部
１４，４２    映像再生部
２１    速度調整部
３１    入力速度格納部
３２    減算器
３３    Ｄ／Ａ変換部
３４    ＶＣｘＯ
３５    分周部
３６    再生速度カウンタ
３７    遅延制御部
１０１〜１０３，２０１〜２１０，３０１〜３０７    ステップ
【図１】
0004836027.tif 000002
【図２】
0004836027.tif 000003
【図３】
0004836027.tif 000004
【図４】
0004836027.tif 000005
【図５】
0004836027.tif 000006
【図６】
0004836027.tif 000007
【図７】
0004836027.tif 000008
【図８】
0004836027.tif 000009
【図９】
0004836027.tif 000010
【図１０】
0004836027.tif 000011